(57)【要約】【課題】  インパルス型表示装置と液晶シャッタ眼鏡とからなる立体映像視聴システムにおいて生じる観測映像の画面内での輝度の不均一を抑制し、高品位な立体視を可能とする立体映像制御装置を提供する。【解決手段】  入力映像信号から右眼用映像及び左眼用映像を表示させるための輝度信号を生成して表示手段に出力する映像処理手段を有し、映像処理手段は、液晶シャッタ眼鏡のシャッタの立上り期間における透過率低下を抑制するように、フレーム期間を、第１のフレーム期間と第１のフレーム期間より長い第２のフレーム期間とに分割し、それぞれのフレーム期間で同じ映像を表示させる。【選択図】  図１
2012105013.tif 000002
【特許請求の範囲】
【請求項１】
インパルス型の表示手段に右眼用映像と左眼用映像とを時分割で交互に表示させ、その切換えに同期して、シャッタ眼鏡の左右のシャッタを交互に開閉させることにより、立体映像を視聴させる立体映像制御装置であって、
立体映像として映像表示させるための映像信号を入力する入力手段と、
前記映像信号から右眼用映像及び左眼用映像を表示させるための輝度信号を生成して前記表示手段に出力する映像処理手段とを有し、
前記表示手段は、所定のフレーム期間で、走査ラインを順次選択することにより画面上に映像を形成し、
前記右目用映像及び前記左目用映像を表示するためのそれぞれのフレームは、第１のフレーム期間の第１のサブフレームと、前記第１のフレーム期間よりも長い期間の第２のフレーム期間の第２のサブフレームとからなり、
前記第１のサブフレームと前記第２のサブフレームとでそれぞれ同じ映像を表示させるように前記映像処理手段を制御する制御手段とを有することを特徴とする立体映像制御装置。
【請求項２】
前記第１のフレーム期間は、前記シャッタの立上り期間又は立下り期間に対応して決められる請求項１記載の立体映像制御装置。
【請求項３】
前記右目用映像及び左目用映像を表示するためのそれぞれのフレームのフレーム期間は、前記第１のフレーム期間、前記第２のフレーム期間及びブランキング期間とからなり、
前記第２のフレーム期間は、該フレーム期間から前記第１のフレーム期間と前記ブランキングとを差し引いた期間に対応して決められる請求項１又は２記載の立体映像制御装置。
【請求項４】
少なくとも１フレーム分の前記映像信号を、前記入力手段から出力された水平同期信号に同期して書込み、蓄積する記憶手段と、
前記水平同期信号を、前記第１のフレーム期間と前記第２のフレーム期間とにそれぞれ対応するように変調するタイミング制御手段とを有し、
前記制御手段は、変調された水平同期信号に同期して、前記第１のフレームと前記第２のフレームの映像信号を、前記記憶手段から順次読出して前記映像信号処理手段に出力するように、前記記憶手段及び前記タイミング制御手段とを制御する請求項１乃至３記載の立体映像制御装置。
【請求項５】
前記制御手段は、前記シャッタの立上り期間又は立下り期間での透過率変化を補償するように決められた補正値に基づいて、前記第１のフレームの映像信号を補正する請求項１乃至４記載の立体映像制御装置。
【請求項６】
インパルス型の表示手段に右眼用映像と左眼用映像とを時分割で交互に表示させ、その切換えに同期して、シャッタ眼鏡の左右のシャッタを交互に開閉させることにより、立体映像を視聴させる立体映像制御方法であって、
立体映像として映像表示させるための映像信号を入力するステップと、
前記映像信号から右眼用映像及び左眼用映像を表示させるための輝度信号を生成して前記表示手段に出力するステップとを有し、
前記表示手段は、所定のフレーム期間で、走査ラインを順次選択することにより画面上に映像を形成し、
前記右目用映像及び前記左目用映像を表示すためのそれぞれのフレームは、第１のフレーム期間の第１のサブフレームと、前記第１のフレーム期間よりも長い期間の第２のフレーム期間の第２のサブフレームとからなり、
前記第１のサブフレームと前記第２のサブフレームとでそれぞれ同じ映像を表示させるステップとを有することを特徴とする立体映像制御方法。
【発明の詳細な説明】
【技術分野】
【０００１】
本発明は、インパルス型表示装置を用いて表示される映像を立体映像として視聴可能な立体映像制御装置及び方法に関する。
【背景技術】
【０００２】
映像表示装置で右眼用映像と左眼用映像とを時分割で交互に表示し、その切換えに同期して左右のシャッタを交互に開閉するシャッタ眼鏡を通して映像を見ることで、立体映像が視聴可能な立体映像視聴システムが知られている。
【０００３】
下記特許文献１には、右眼用映像と左眼用映像とを２フレーム毎に交互に表示させることにより、フレームレートを高めたときに発生するクロストークを抑制した立体映像表示装置が記載されている。
【先行技術文献】
【特許文献】
【０００４】
【特許文献１】特開２００９−３１５２３号公報
【発明の概要】
【発明が解決しようとする課題】
【０００５】
インパルス型表示装置で表示された立体映像を、液晶シャッタ眼鏡を通して、観測映像として立体視する場合の課題について説明する。インパルス型表示装置とは、アドレス期間（選択期間）で点灯された画素の輝度が１フレームに亘ってホールドされることなく、アドレス期間内で点灯及び消灯が完了する方式で映像を形成する表示装置である。消灯後の画素の輝度は、蛍光体等の発光部材の残光特性に基づいた所定の残光期間でゼロに収束する。代表的なものとしては、ＣＲＴや電界放出型電子放出ディスプレイがある。
【０００６】
図９（ａ）、（ｂ）は、線順次駆動により形成された映像の表示期間と液晶シャッタ眼鏡のシャッタ開閉タイミングとの関係を示している。フレーム周波数は１２０Ｈｚとする。フレーム毎に左目用映像（左フレーム）と右目用映像（右フレーム）とが交互に表示される。左右フレームに同期して液晶シャッタ眼鏡の左右のシャッタが開閉する。
【０００７】
液晶シャッタ眼鏡は、ノーマリホワイトモードの場合には、閉から開の応答速度（立上り期間）が開から閉の応答速度（立下り期間）よりも遅く、それぞれ２．５ｍｓ、５００μｓｅｃ程度である。
【０００８】
シャッタの立上り及び立下り期間の両方を映像の垂直ブランキング期間（以下、ブランキング期間）内に収めようとすると、ブランキング期間が垂直走査期間の１／４以上を占めることになる。その結果、水平走査期間が短くなるため、パルス幅変調により階調表示する場合には、表示輝度が低下するとともにダイナミックレンジも狭くなる。
【０００９】
図９（ｂ）に示すように、垂直ブランキング期間をシャッタの立下り期間に設定すると、シャッタの立上り期間の２ｍｓｅｃ分は映像表示期間に入り込んでしまう。その結果、走査線１０８０本の表示装置ではシャッタ透過率は最大３０％減少し、観測映像としては、図９（ｃ）のように、画面の上部２８０ライン分の領域に帯状の暗い部分が発生する。
【００１０】
従来のインパルス型表示装置と液晶シャッタ眼鏡からなる立体映像視聴システムでは、このような観測映像の画面内での輝度の不均一が生じていた。
【課題を解決するための手段】
【００１１】
本発明は、インパルス型の表示手段に右眼用映像と左眼用映像とを時分割で交互に表示させ、その切換えに同期して、シャッタ眼鏡の左右のシャッタを交互に開閉させることにより、立体映像を視聴させる立体映像制御装置であって、
立体映像として映像表示させるための映像信号を入力する入力手段と、
前記映像信号から右眼用映像及び左眼用映像を表示させるための輝度信号を生成して前記表示手段に出力する映像処理手段とを有し、
前記表示手段は、所定のフレーム期間で、走査ラインを順次選択することにより画面上に映像を形成し、
前記右目用映像及び前記左目用映像を表示するためのそれぞれのフレームは、第１のフレーム期間の第１のサブフレームと、前記第１のフレーム期間よりも長い期間の第２のフレーム期間の第２のサブフレームとからなり、
前記第１のサブフレームと前記第２のサブフレームとでそれぞれ同じ映像を表示させるように前記映像処理手段を制御する制御手段とを有することを特徴とする。
【発明の効果】
【００１２】
本発明によれば、１フレームの表示期間を、短いフレーム期間と長いフレーム期間とに不等分割して、同じ映像を２回表示することにより、観測映像の画面内での輝度のムラを抑制することができる。その結果、高品位な立体視を可能とする立体映像制御装置が提供される。
【図面の簡単な説明】
【００１３】
【図１】本発明に係る映像信号の読出しタイミングを説明するための説明図
【図２】本発明に係る立体映像視聴システムのブロック図
【図３】本発明に係る駆動パルスの波形を示すタイミンチャート
【図４】本発明の第１の実施例に係る動作のフローチャート
【図５】垂直ラインカウンタ値と補正値又は輝度との関係を示す説明図
【図６】本発明に係る駆動パルスの他の波形を示すタイミンチャート
【図７】本発明の第２の実施例に係る動作のフローチャート
【図８】本発明の他の実施例に係る動作のフローチャート
【図９】本発明に係る課題を説明するための説明図
【図１０】本発明に係るフレームレートの設定方法を説明するための説明図
【発明を実施するための形態】
【００１４】
以下、図面を用いて本発明の実施の形態について説明する。
【００１５】
（実施例１）
図２（ａ）は、本発明に係る立体映像視聴システムのブロック図で、立体映像制御装置１、表示装置２及び液晶シャッタ眼鏡３からなる。
【００１６】
表示装置２は、インパルス型の表示装置で、表面伝導型電子放出ディスプレイパネル（以下、表示パネル）２０１と、表示パネル２０１を駆動するためのＸドライバ２０３及びＹドライバ２０２とからなる。表示パネル２０１の構成と製造法については、特開２０００−２５０４６３号公報に詳しく開示されている。表示パネル２０１は、マトリクス状に配置された複数の垂直ライン（走査ライン）と複数の水平ライン（信号ライン）により構成される（１９２０×３×１０８０）の画素を有する。表示パネル２０１は、画面の最上部から下方へ向かって、所定のフレーム期間で、垂直ラインを順次選択することにより画面上に映像を形成する線順次方式により駆動される。フレームレート（リフレッシュレート）は、１２０Ｈｚである（フレーム期間：８．３ｍｓｅｃ）。１フレームは、フレームレート５００Ｈｚ（フレーム期間：２ｍｓｅｃ）のサブフレームと、フレームレート１７２Ｈｚ（フレーム期間：５．８ｍｓｅｃ）のサブフレームとに分割される。立体映像は、右フレームと左フレームの２フレームにより形成される。
【００１７】
立体映像制御装置１は、以下の構成からなる。ＭＰＵ（制御手段）１０５は、各ブロックを連携制御する。入力回路１０１は、入力ソースから立体映像信号を入力して、映像信号及び垂直／水平同期信号を出力する。入力ソースは、デジタルテレビ放送、インターネットを介した映像コンテンツ配信システム、ゲーム機器及びビデオプレイヤである。入力回路１０１は、デジタルチューナ及び入力インターフェイスを含んでいる。映像信号は、それぞれ（１９２０×１０８０）の解像度を有する右眼用映像信号と左眼用映像信号とからなり、フレーム毎に１２０Ｈｚで交互に切替る。
【００１８】
フレームメモリ（記憶手段）１０２は、入力回路１０１から出力される映像信号を１フレーム分蓄積する。
【００１９】
タイミング制御回路１０４は、ＭＰＵ１０５からの指示に基き、水平同期信号に同期して、映像信号をフレームメモリ１０２より読み出す。映像信号処理回路１０３は、フレームメモリ１０２より読み出された映像信号を、表示装置２の仕様に適合した輝度信号に変換してＸドライバ２０３へ出力する。さらに、タイミング制御回路１０４は、垂直水平同期信号とＭＰＵ１０５からの指示に基いて、水平走査期間（１Ｈ）及び垂直走査期間（１Ｖ）を制御するタイミング信号をＹドライバ２０２に出力する。
【００２０】
Ｘドライバ（変調ドライバ）２０３は、輝度信号に基いて、輝度レベルに対応した信号パルスを生成し、表示パネル２０１をＰＷＭ（Ｐｕｌｓｅ  Ｗｉｄｔｈ  Ｍｏｄｕｌａｔｉｏｎ）駆動する。
【００２１】
Ｙドライバ（走査ドライバ）２０２は、１０８０チャンネルの出力部を有し、タイミング信号に基づいて、表示パネル２０１の垂直ラインに順次走査パルスを出力する。
【００２２】
同期信号送信回路１０８は、タイミング制御回路１０４から出力された垂直同期信号から、赤外線通信により液晶シャッタ眼鏡３の左右シャッタの開閉を制御するための赤外線信号を送信する。
【００２３】
液晶シャッタ眼鏡３は、赤外線信号を受信して、左右映像信号の切替りに同期した左右シャッタの開閉を行う。以下、液晶シャッタの開閉は、ノーマリホワイトモードにより動作するものとするが、ノーマリブラックモードでの動作も可能である。ノーマリブラックモードの場合は、液晶シャッタの立上りと立下りとの関係が逆になる。
【００２４】
図１は、本発明に係る立体映像視聴システムのフレームメモリ１０２から読み出される映像信号と液晶シャッタ眼鏡３のシャッタ開閉タイミングとの関係を示している。フレームメモリ１０２には、左右の映像信号（Ｌ１、Ｒ１、Ｌ２、Ｒ２、・・・）が交互に蓄積される。フレームメモリ１０２からは、同じ映像信号が２回ずつ読み出される。Ｌ１フレーム（左フレーム）は、フレーム周波数５００Ｈｚ（第１のフレーム期間）のサブフレームＬ１ａ（第１のサブフレーム）と、フレーム周波数１７２Ｈｚ（第２のフレーム期間）のサブフレームＬ１ｂ（第２のサブフレーム）とからなる。それぞれのサブフレームで同じ左目用映像が異なるフレーム周波数で２回表示される。各サブフレームのフレーム周波数は、液晶シャッタの立上り特性に対応して決定される。即ち、Ｌ１ａサブフレームのフレーム期間（Ｌ１ａサブフレーム期間）は、左シャッタの立上がり期間（２．０ｍｓ）で、Ｌ１ａ画像が表示できるように設定される。また、Ｌ１ｂサブフレームのフレーム期間は、Ｌ１ｂ画像が、左シャッタの立上がり完了後の期間（５．８ｍｓ）で表示されるように設定される。Ｌ１フレームのフレーム期間は、Ｌ１ａフレーム期間、Ｌ１ｂフレーム期間及び垂直ブランキング期間とからなる。従って、Ｌ１ｂフレーム期間は、Ｌ１フレーム期間からＬ１ａフレーム期間と垂直ブランキング期間とを差し引いた期間に対応する。Ｒ１フレーム（右フレーム）に対しても、同様にＲ１ａサブフレームとＲ１ｂサブフレームとに分割され、それぞれのフレーム周波数が設定される。
【００２５】
液晶シャッタ眼鏡３の左右シャッタは、左フレーム期間（Ｌ１ａサブフレームとＬ１ｂサブフレームとを足した期間）と右フレーム期間（Ｒ１ａサブフレームとＲ１ｂサブフレームとを足した期間）とに同期した垂直同期信号に同期して開閉する。本実施形態では、シャッタの立下り期間がブランキング期間（０．５ｍｓｅｃ）内に収まるように設定されているが、液晶シャッタがノーマリブラックモードで用いられる場合には、立上り期間がブランキング期間内に収まるように設定される。
【００２６】
図２（ｂ）は、タイミング制御回路１０４のブロック図である。フレームレート設定部３０４は、垂直／水平同期信号が入力され、垂直ラインに対応したフレームレート設定値をタイミング生成部３０２へ出力する。液晶シャッタ眼鏡３のシャッタの応答特性は予め特定されているので、垂直／水平同期信号に応じたフレームレート設定値が、フレームレート設定部３０４内のメモリに格納されている。タイミング生成部３０２は、フレームレート設定値に基いて、垂直／水平同期信号を変調したタイミング信号をＹドライバへ出力する。垂直同期抽出部３０５は、垂直／水平同期信号から垂直同期信号を抽出し、同期信号送信回路１０８へ出力する。ＭＰＵ１０５は、タイミング信号に同期して、１フレーム分の映像信号を異なるフレームレートでメモリ１０２から順次読出して映像処理回路１０３に出力するように、メモリ１０２及びタイミング制御回路１０３を連携制御する。
【００２７】
図１０は、垂直／水平同期信号、フレームレート設定値、タイミング信号の時間的関係を示している。フレームレート設定部３０４は、垂直／水平同期信号の垂直同期信号に同期して水平同期信号のカウントを開始し、垂直／水平同期信号の水平同期信号の１ラインから２７９ラインの期間までを５００Ｈｚに設定する。さらに、水平同期信号が２８０ラインになると１７２Ｈｚの設定に切替わり、水平同期信号が１０８０ラインの期間まで１７２Ｈｚに設定する。そして、垂直同期信号に同期して、水平同期信号のリセットとカウントを繰り返す。
【００２８】
タイミング信号は、変調垂直同期信号と変調水平同期信号とからなる。変調垂直同期信号は、水平同期信号の１ラインと２８０ラインでハイとなる信号である。変調水平同期信号は、水平同期信号の１ラインから２７９ラインまでの期間を５００Ｈｚで振動する１０８０個のパルス列と、水平同期信号の２８０ラインから１０８０ラインまでの期間１７２Ｈｚで振動する１０８０個のパルス列からなる。変調水平同期信号の５００Ｈｚの期間に（Ｌ１ａ／Ｒ１ａ画像）が表示され、１７２Ｈｚの期間に（Ｌ１ｂ／Ｒ１ｂ画像）が表示される。
【００２９】
図３（ａ）は、Ｌ１ａ／Ｒ１ａ画像（液晶シャッタの立ち上がり期間）を表示するときのＸドライバ２０３及びＹドライバ２０２から出力される駆動パルス（走査パルス、信号パルス）の波形を示している。Ｙドライバ２０２は、高さ−１０Ｖ、幅１．８５μｓｅｃの走査パルス（選択パルス）を垂直ライン（Ｙ１〜Ｙ１０８０）に順次出力する（非選択パルスは、０Ｖ）。Ｘドライバ２０３は、走査パルスに同期して各水平ライン（Ｘ１〜Ｘ５７６０）に信号パルスを並列的に印加する。信号パルスの高さは＋１０Ｖで、幅は輝度信号に対応して０から１．８５μｓｅｃまで変化する。輝度レベル１００％のときに、パルス幅が最大の１．８５μｓｅｃ（表示輝度７５ｃｄ／ｍ２）となるようにレンジを設定する。
【００３０】
図３（ｂ）は、Ｌ１ｂ／Ｒ１ｂ画像（液晶シャッタの立ち上がり後の期間）を表示するときのＸドライバ２０３及びＹドライバ２０２から出力される駆動パルスの波形を示している。Ｙドライバ２０２は、高さ−１０Ｖ、幅４．９μｓｅｃの走査パルス（選択パルス）を垂直ライン（Ｙ１〜Ｙ１０８０）に順次出力する（非選択パルスは、０Ｖ）。Ｘドライバ２０３は、走査パルスに同期して各水平ライン（Ｘ１〜Ｘ５７６０）に信号パルスを並列的に印加する。信号パルスの高さは＋１０Ｖで、幅は輝度信号に対応して０から４．９μｓｅｃまで変化する。輝度レベル１００％のときに、パルス幅が最大の４．９μｓｅｃ（表示輝度３００ｃｄ／ｍ２）となるようにレンジを設定する。
【００３１】
図４は、ＭＰＵ１０５により実行される処理のフローチャートである。フレームメモリ１０２に、水平同期信号に同期して、１フレーム分の映像信号が書込まれる（Ｓ５０１）。垂直／水平同期信号の垂直１〜２７９ラインの期間でフレームメモリ１０２よりフレーム周波数５００Ｈｚで、同じ１フレーム（Ｌ１ａ又はＲ１ａ画像）分の映像信号を読み出す（Ｓ５０２）。液晶シャッタの立ち上がり期間で、フレーム周波数５００Ｈｚで１画面を表示する（Ｓ５０３）。さらに、垂直／水平同期信号の垂直２８０〜１０８０ラインの期間でフレームメモリ１０２よりフレーム周波数１７２Ｈｚで１フレーム（Ｌ１ｂ又はＲ１ｂ画像）分の映像信号を読み出す（Ｓ５０４）。液晶シャッタの立ち上がり後の期間で、フレーム周波数１７２Ｈｚで１画面を表示する（Ｓ５０５）。この５００Ｈｚ駆動と１７２Ｈｚ駆動の２回の表示により、１２０Ｈｚ駆動の右眼用映像が形成される。さらに右目用映像と左眼用映像とがそれぞれ１２０Ｈｚで時分割表示されることにより、立体映像視聴が可能となる。
【００３２】
１２０Ｈｚ駆動時の表示輝度を１００％としたとき、１フレームを不等分割した５００Ｈｚ駆動時と１７２Ｈｚ駆動時の表示輝度は、それぞれ２５％と７５％となる。液晶シャッタの応答による画面上部と下部とで輝度差が最大３０％あるため、シャッタの立上がり期間側（５００Ｈｚ表示）の表示輝度は、画面上部と下部とで、１７．５％から２５％までの輝度変動となる。一方１７２Ｈｚ表示時は画面上下で輝度の分布が生じない。即ち、本発明によれば、画面上部と下部の輝度差は７．５％となり、輝度差を識別し難い程度まで縮小することができる。
【００３３】
（実施例２）
本実施例は、液晶シャッタの立上がり期間で表示されるＬ１ｃ画像又はＲ１ｃ画像の輝度を、液晶シャッタの立上り期間（又は立下り期間）での透過率変化を補償するように、垂直ラインの位置に応じて変化させるものである。これにより、実施例１では画面内の最大輝度差が７．５％まで縮小することが出来たが、本実施例では、更に７．５％縮小することができる。
【００３４】
本実施例に係る立体映像視聴システムのブロック図は、図２（ａ）と同様である。但し、本実施例における映像処理回路１０３では、映像信号の輝度レベルを調整した輝度信号をＸドライバ２０３へ出力する。
【００３５】
図２（ｃ）は、映像処理回路１０３のブロック図である。補正用ＬＵＴ（ルックアップテーブル）８１７には、各垂直ラインに対応付けされた輝度の補正値が予め格納されている。垂直ラインカウンタ８１５は、垂直同期信号に同期して垂直ラインのカウントを開始させ、水平同期信号に同期してカウントを進める。垂直ラインの位置に対応した垂直ラインカウンタ値が補正用ＬＵＴ８１７へ入力される。補正用ＬＵＴ８１７は、垂直ラインカウンタ値に対応した補正値を出力する。乗算器８１９は、各垂直ラインに対応した補正値を、各垂直ライン上の画素に対応した映像信号に乗算して、輝度信号を出力する。
【００３６】
補正値は、５００Ｈｚと１７２Ｈｚの２つのフレーム周波数に対して、各垂直ライン上の画素に対応した映像信号に各垂直ラインの位置に応じて、走査方向と逆方向に向かって輝度を増させるような係数である。
【００３７】
図５（ａ）は、Ｌ１ｃ／Ｒ１ｃサブフレーム（５００Ｈｚ）での補正値と垂直ラインカウンタ値との関係を示している。垂直ラインカウンタ値１〜２８０までの補正値を１．４３〜１．０と設定し、垂直ラインカウンタ値２８０〜１０８０までの補正値を１．０に設定する。
【００３８】
図５（ｂ）は、Ｌ１ｂ／Ｒ１ｂサブフレーム（１７２Ｈｚ）での補正値と垂直ラインカウンタ値との関係を示している。垂直ラインカウンタ値１〜１０８０までの補正値を１．０に設定する。
【００３９】
図５（ｃ）は、全画素に輝度レベル１００％（最大輝度）の輝度信号が入力した場合の、表示パネル２０１の表示輝度と表示時間との関係を示している。補正値は、表示時間２．５ｍｓから８．３ｍｓまでの期間（Ｌ１ｂ／Ｒ１ｂ画像が表示される期間）の輝度が３００ｃｄ／ｍ２で一定となるように設定される。また、表示時間０．５ｍｓから２．５ｍｓまでの期間（Ｌ１ｃ／Ｒ１ｃ画像が表示される期間）の輝度が７５ｃｄ／ｍ２〜５２．５ｃｄ／ｍ２と変化するように設定される。
【００４０】
図６は、Ｌ１ｃ／Ｒ１ｃ画像表示期間での、Ｘドライバ２０３及びＹドライバ２０２から出力される駆動パルスの波形を示している。Ｌ１ｂ／Ｒ１ｂ画像表示期間での駆動パルスは、図３（ｂ）と同様である。Ｙドライバ２０２は、高さ−１０Ｖ、幅１．８５μｓｅｃの走査パルスを垂直ライン（Ｙ１〜Ｙ１０８０）に順次出力する。Ｘドライバ２０３は、走査パルスに同期して各水平ライン（Ｘ１〜Ｘ５７６０）に信号パルスを並列的に印加する。信号パルスの高さは＋１０Ｖで、幅は輝度信号に対応して０から１．８μｓｅｃまで変化する。輝度レベル１００％の場合、Ｙ１上の画素に印加される信号パルスは、シャッタ透過率３０％低下分を補償するため、パルス幅を最大の１．８５μｓｅｃ（補正値１．４３）にする。Ｙ２〜Ｙ２７９上の画素に印加される信号パルスは、シャッタの応答波形に対応するように、走査される方向に、駆動パルスの幅を１．８５〜１．２６μｓｅｃ（補正値１．４３〜１．０）で単調減少させる。
【００４１】
単調減少で補正値を変化させる垂直ラインのライン数は、シャッタの立上り期間に応じて決められてもよい。また、補正値変化は、Ｙ１からＹ２８０まで直線で変化させているが、シャッタの立上り期間の透過率変化に応じた曲線で変化させてもよい。また、垂直走査期間内に設定される垂直ブランキング期間は、シャッタの立下り期間に応じて決定されてもよい。また、補正値を映像信号に演算して輝度信号を生成するステップでは、乗算に代えて加算を用いてもよい。
【００４２】
図７は、ＭＰＵ７０５により実行される処理のフローチャートである。垂直ラインカウンタ値を参照し、補正用ＬＵＴ８１７から各垂直ラインの補正値を読み出す（Ｓ１１０１）。各垂直ラインに応じた補正値を、対応する映像信号へ乗じる（Ｓ１１０２）。フレームメモリ７０２に、補正された映像信号が１フレーム分書き込まれる（Ｓ１１０３）。垂直１〜２７９ラインの期間でフレームメモリ７０２よりフレーム周波数５００Ｈｚで１フレーム分（Ｌ１ａ又はＲ１ａ画像）の映像信号を読み出す（Ｓ１１０４）。補正された映像信号に基づく輝度信号に基づいて、信号パルス幅を水平ライン毎に可変させる（Ｓ１１０５）。液晶シャッタの立ち上がり期間を５００Ｈｚで駆動する（Ｓ１１０６）。垂直２８０〜１０８０ラインの期間でフレームメモリ７０２よりフレーム周波数１７２Ｈｚで１フレーム分（Ｌ１ｂ又はＲ１ｂ画像）の同じ映像信号を読み出す（Ｓ１１０７）。液晶シャッタの立ち上がり後の期間を１７２Ｈｚで駆動する（Ｓ１１０８）。
【００４３】
４００Ｈｚ駆動と１７２Ｈｚ駆動との２回の駆動によって、フレームレート１２０Ｈｚの右眼映像／左眼映像をそれぞれ形成し、それぞれ交互に表示させることにより、立体映像として視聴される。
【００４４】
（実施例３）
本発明においては、入力映像信号が立体映像表示（３Ｄ）用か非立体映像表示（２Ｄ）用かを判別して、タイミング制御回路１０４での信号処理を、３Ｄ用と２Ｄ用とを互いに切換えることもできる。図８は、入力映像信号に応じた映像制御装置１の動作を示すフローチャートである。
【００４５】
入力映像信号が３Ｄ用か２Ｄ用かを判定する（Ｓ１２０１）。入力ソースがデジタル放送の場合は、予め取得している番組情報を参照して、選択した番組が３Ｄ番組か否かを判別することができる。他の入力ソース場合は、ビデオストリームのヘッダ情報を参照して判別することができる。
【００４６】
入力映像信号が３Ｄ用の場合は、ＭＰＵ１０５の指示に基いて、タイミング制御回路１０４の信号処理を３Ｄ用に設定し、５００Ｈｚ（Ｌ１ａ／Ｒ１ａ画像）と１７２Ｈｚ（Ｌ１ｂ／Ｒ１ｂ画像）のフレームレートで、フレームメモリ１０２から映像信号を２回読み出す（Ｓ１２０３）。
【００４７】
入力映像信号が２Ｄ用の場合は、ＭＰＵ１０５の指示に基いて、タイミング制御回路１０４の信号処理を２Ｄ用に設定し、１２０Ｈｚのフレームレートでフレームメモリ１０２から映像信号を１回読み出す（Ｓ１２０２）。
【００４８】
３Ｄ用、２Ｄ用の設定された駆動パルスで表示パネルを駆動する（Ｓ１２０４）。
【００４９】
以上のように、入力映像信号が３Ｄ用の場合は、均一な輝度の観測映像を視聴することができ、２Ｄ用の場合は、画面全体の輝度が適正化された表示映像を視聴することができる。
【符号の説明】
【００５０】
１  立体映像制御装置
２  表示装置
３  液晶シャッタ眼鏡
１０１  入力回路
１０２  フレームメモリ
１０３映像処理回路
１０４  タイミング制御回路
１０５  ＭＰＵ
【図１】
2012105013.tif 000003
【図２】
2012105013.tif 000004
【図３】
2012105013.tif 000005
【図４】
2012105013.tif 000006
【図５】
2012105013.tif 000007
【図６】
2012105013.tif 000008
【図７】
2012105013.tif 000009
【図８】
2012105013.tif 000010
【図９】
2012105013.tif 000011
【図１０】
2012105013.tif 000012